(57)【特許請求の範囲】
【請求項１】
揺れ動く炎効果をシミュレートする電灯であって、前記電灯は、
照明用ソケットに電気的に連結するように構成された基部と、
前記基部に連結されたハウジングと、
炎要素であって、前記炎要素の少なくとも一部が前記ハウジングから延びるように前記ハウジングに連結された炎要素と、
前記炎要素の外面へ光を放出するように構成された光源と、を含み、
前記基部が前記照明用ソケットに電気的に連結されて、前記照明用ソケットに対して所定の位置を維持する間に前記炎要素の前面が再度方向付けられるように、前記ハウジングが前記基部に対して回転することができる、電灯。
【請求項２】
前記ハウジングに対して前記炎要素の動きを引き起こすように構成された駆動機構をさらに含む、請求項１に記載の電灯。
【請求項３】
前記駆動機構が電線コイルと前記コイルに時変電流を与えて時変電磁場を生成させる信号発生器とを含み、前記炎要素が磁気材料を含み、動力学的運動が前記炎要素に付与されるように、前記コイルが前記炎要素に対してハウジング内に配置されている、請求項２に記載の電灯。
【請求項４】
前記駆動機構がファンを含み、前記ファンからの気流が前記炎要素の動きを引き起こすように、前記ファンが前記炎要素に対して前記ハウジング内に配置されている、請求項２に記載の電灯。
【請求項５】
前記炎要素の前記外面の第１の部分へ光を放出するように構成された第２の光源をさらに含む、請求項１に記載の電灯。
【請求項６】
前記光源は、前記外面の第２の部分に光を放出するように構成されており、かつ前記第１の部分及び前記第２の部分が少なくとも一部重複している、請求項５に記載の電灯。
【請求項７】
前記光源は、前記前面の少なくとも一部に光を放出するように構成されており、かつ前記第２の光源は前記炎要素の背面に光を放出するように構成されている、請求項５に記載の電灯。
【請求項８】
前記ハウジング内に配置され、前記炎要素の内面へ放出するように構成された第２の光源をさらに含む、請求項１に記載の電灯。
【請求項９】
ハウジング内に配置された第２の光源をさらに含み、前記第２の光源が前記光源よりも大量の可視光を集合的に生じるライトのセットを含む、請求項１に記載の電灯。
【請求項１０】
前記第２の光源が前記ハウジングの外部の周囲に配置された複数のＬＥＤを含む、請求項９に記載の電灯。
【請求項１１】
前記第２の光源が前記ハウジング内に配置された複数のＬＥＤを含む、請求項９に記載の電灯。
【請求項１２】
可変輝度を有する第２の光源をさらに含む、請求項１に記載の電灯。
【請求項１３】
前記ハウジングが前記基部に取り外し可能に連結されている、請求項１に記載の電灯。
【請求項１４】
前記炎要素が前記ハウジング内に少なくとも部分的に配置され、前記炎要素が前記ハウジングに対して枢動できるように同炎要素が前記ハウジングに連結された支持ワイヤに取り付けられている、請求項１に記載の電灯。
【請求項１５】
前記炎要素が開口部を含み、前記支持ワイヤが同開口部を貫通して延びる、請求項１４に記載の電灯。
【請求項１６】
前記ハウジング内に配置された、使用者が交換可能な芳香モジュールをさらに含む、請求項１に記載の電灯。
【請求項１７】
前記ハウジング内に配置された、使用者が交換可能な芳香モジュールをさらに含み、前記駆動機構が前記芳香モジュールからの芳香の放出を促進する、請求項２に記載の電灯。
【請求項１８】
前記基部が標準照明用ソケットと嵌め合うように構成されている、請求項１に記載の電灯。
【請求項１９】
前記ハウジングが長尺状キャンドル本体を含む、請求項１に記載の電灯。
【請求項２０】
電灯であって、前記電灯は、
ハウジングと、
炎要素であって、前記炎要素の少なくとも一部が前記ハウジングから延びるように前記ハウジングに連結された炎要素と、
前記炎要素の表面へ光を放出するように構成された第１の光源と、
光が前記ハウジングの側壁に放出されるように前記ハウジングに対して配置された第２の光源と、
を含み、
前記第２の光源が可変輝度を有する、電灯。
【請求項２１】
光が前記ハウジングの内面へ放出されるように前記第２の光源が前記ハウジング内に配置されている、請求項２０に記載の電灯。
【請求項２２】
前記第２の光源が前記ハウジングの外側に配置されている、請求項２０に記載の電灯。
【請求項２３】
前記第２の光源が前記ハウジングに連結された外部リングの周囲に配置されている、請求項２２に記載の電灯。
【請求項２４】
前記第２の光源を含むライトのセットをさらに含み、前記ライトのセットが前記第１の光源よりも大きい量の可視光を集合的に生成する、請求項２０に記載の電灯。
【請求項２５】
散光器をさらに備え、前記散光器が前記第２の光源の輝度を変化させるように、前記第２の光源が散光器に対して配置されている、請求項２０に記載の電灯。
【請求項２６】
請求項２０に記載の電灯は、前記ハウジングに連結されるとともに照明用ソケットに電気的に連結するように構成されている基部を更に含み、前記炎要素の前面が前記基部に対して再度方向付けられるように、前記ハウジングが前記基部に対して回転することができる、電灯。
【請求項２７】
前記基部が標準照明用ソケットと嵌め合うように構成されている、請求項２６に記載の電灯。
【請求項２８】
前記ハウジング内に配置された、使用者が交換可能な芳香モジュールをさらに含む、請求項２０に記載の電灯。
【請求項２９】
前記ハウジングに対して前記炎要素の動きを引き起こすように構成された駆動機構をさらに含む、請求項２０に記載の電灯。
【請求項３０】
前記ハウジングの少なくとも一部が半透明である、請求項２０に記載の電灯。
【請求項３１】
前記ハウジングがガラス、金属、ろうまたはプラスチックより成る、請求項２０に記載の電灯。
【請求項３２】
電灯であって、前記電灯は、
ハウジングと、
炎要素であって、前記炎要素の少なくとも一部が前記ハウジングから延びるように前記ハウジングに連結された炎要素と、
前記炎要素の表面へ集合的に光を放出するように構成された第１の光源セットと、
光が前記ハウジングの内面へ放出されるように前記ハウジング内に配置された第２の光源のセットと、
を含み、
前記第２の光源のセットが前記第１の光源のセットよりも大きい量の可視光を集合的に生成する、電灯。
【請求項３３】
前記ハウジングに連結された基部をさらに含み、前記ハウジングが前記基部に対して回転することができる、請求項３２に記載の電灯。
【請求項３４】
電灯であって、前記電灯は、
基部を備えたハウジングと、
炎要素であって、前記炎要素の少なくとも一部が前記ハウジングから延びるように前記ハウジングに連結された炎要素と、
前記ハウジングに対して前記炎要素の動きを引き起こすように構成された駆動機構と、
前記炎要素の表面へ光を放出するように構成された第１の光源と、を含み、
前記基部が前記ハウジングに連結されている間に前記炎要素の第１の表面が再度方向付けされるように、前記ハウジングが前記基部に対して回転することができる、電灯。
【請求項３５】
光が前記ハウジングの側壁に放出されるように前記ハウジングに対して配置された第２の光源をさらに含む、請求項３４に記載の電灯。
【請求項３６】
光が前記側壁の内面へ放出されるように前記第２の光源が前記ハウジング内に配置されている、請求項３５に記載の電灯。
【発明の詳細な説明】
【技術分野】
【０００１】
本発明の分野は、電灯である。
【背景技術】
【０００２】
以下の背景技術の説明は、本発明を理解する上で有用であり得る情報を含む。その説明は、本明細書において与えられる情報がいずれも、本願において特許請求される発明の従来技術若しくは関連技術であるか、又は、具体的に若しくは非明示的に言及される公報がいずれも従来技術であることを認めるものではない。
【０００３】
多種多様の電灯が当該技術分野で公知であるが、より最近では、電灯を用いてキャンドルを、具体的には、照明用ソケットに挿入可能であるか、または独立型装置であるかにかかわらず、キャンドルの揺れ動く炎効果をシミュレートする取り組みが行われている。
【０００４】
照明用ソケットから電力供給が可能な無炎キャンドル装置の例は、Ａｂｅへの特許文献１、Ａｂｅｌらへの特許文献２、Ｌａｕｅｒへの特許文献３、ＷＭ．Ｂ．Ｃｏｌｅｍａｎ  Ｃｏ．，Ｉｎｃ．への特許文献４およびＨａｕらへの特許文献５（２０１２年１１月公開）に記載されている。しかしながら、このような装置は、現実的な炎効果を生じることができず、たとえば現実的な炎要素がないことおよび装置を照明用ソケットに挿入している間に炎要素の面を方向付けする機能がないことを含む、１つ以上の欠点を被っている。
【０００５】
これらの課題のいくつかに対処する試みにおいて、現実的な炎効果を生じる多様な方式が探求されている。たとえばＳｃｈｎｕｃｋｌｅらへの特許文献６、Ｓｃｈｎｕｃｋｌｅらへの特許文献７、Ｄｉｓｎｅｙ  Ｅｎｔｅｒｐｒｉｓｅｓ，Ｉｎｃ．への特許文献８（２００６年２月公開）、Ｓｃｈｎｕｃｋｌｅへの特許文献９、Ｓｃｈｎｕｃｋｌｅらへの特許文献１０、Ｐａｔｔｏｎらへの特許文献１１およびＰａｔｔｏｎらへの特許文献１２を参照のこと。しかしながら他の制限の中でも、このような装置にも、装置が照明用ソケットに挿入されている間に炎要素の外面を方向付ける機能がない。
【０００６】
文脈が逆のことを指示しない限り、本明細書に示すすべての範囲は、その終点を含むとして解釈すべきであり、限度を設定しない範囲は、商業的に実用的な値を含むとして解釈すべきである。同様に、値のすべてのリストは、文脈が逆のことを指摘しない限り中間の値を含むとして解釈すべきである。
【先行技術文献】
【特許文献】
【０００７】
【特許文献１】米国特許第４３２８５３４号明細書
【特許文献２】独国実用新案第２０２０１１１０９２８５号明細書
【特許文献３】米国特許第８２３５５５８号明細書
【特許文献４】国際公開第２０１２／１６２５３８号パンフレット
【特許文献５】米国特許出願公開第２０１２／０３００４５９号明細書
【特許文献６】米国特許第７１５９９９４明細書
【特許文献７】米国特許第７２６１４５５明細書
【特許文献８】国際公開第２００６／０２０８３９号パンフレット
【特許文献９】米国特許第７８３７３５５号明細書
【特許文献１０】米国特許第８０７０３１９号明細書
【特許文献１１】米国特許第８１３２９３６号明細書
【特許文献１２】米国特許第８３４２７１２号明細書
【発明の概要】
【発明が解決しようとする課題】
【０００８】
ゆえに、装置が照明用ソケットに挿入されている間に使用者に対向するように方向付けできる現実的な炎効果を提供する電気照明装置への要求がなお存在する。
【課題を解決するための手段】
【０００９】
本発明の主題は、揺れ動く炎効果をシミュレートする電灯（ｅｌｅｃｔｒｉｃ  ｌｉｇｈｔｓ）の実施形態のための装置、システムおよび方法を提供する。好ましい電灯は、照明用ソケットに電気的に連結できる基部を含む。照明用ソケットは、標準照明用ソケット、たとえばエジソン型スクリューソケットであり得る、またはたとえばバイピンレシーバー、バヨネットマウントおよびウェッジベースを含む他の商業的に使用されている照明用ソケットであり得ることが考えられる。
【００１０】
電灯は、基部に連結されたハウジングおよびハウジングから少なくとも部分的に延びる炎要素をさらに含むことができる。光源を使用して炎要素の外面へ光を放出することができる。光源をハウジング内に配置することが好ましいが、光源がハウジングから少なくとも一部または全体が出るように配置され得ることが考えられる。
【００１１】
ハウジングが基部に対して回転できるように同ハウジングを基部に回転自在に連結することと同時に基部が照明用ソケットに連結されることがとりわけ好ましい。このようにして、基部が照明用ソケットに電気的に連結されている間に（すなわち基部を回転する必要なしに）炎要素の面または前面を方向付けることが可能であり、このことにより使用者は好都合に、装置の揺れ動く炎効果を所望の位置から見られるように炎要素を位置決めすることができる。
【００１２】
例示的な電灯は、４インチ（１０．２ｃｍ）または８インチ（２０．３ｃｍ）型で形成することができるが、具体的な用途に応じて電球の具体的な長さを変更することができる。
【００１３】
いくつかの考えられる実施形態において、ハウジングは基部への電気コネクタを有することができ、電気コネクタは基部へ差し込むようにならびに充電ステーションとして構成され得る。ハウジングが、電源に接続されていないときに電灯に電力供給できるようにするバッテリを含み得ることがさらに考えられる。ゆえにこの方式において、電気キャンドルは、電源から切り離されたときに自動的に照明するような非常用光源として作用し得る。
【００１４】
いくつかの考えられる実施形態において、光源は、少なくとも５０ｎｍ異なる第１および第２の光の波長を主に放出し得る。本明細書で使用する場合、「主な（ｐｒｅｄｏｍｉｎａｎｔ）」および「主に（ｐｒｅｄｏｍｉｎａｎｔｌｙ）」という用語は、光源が放出する波長の帯域のピーク強度を示す。特徴的な色の波長を放出することが好都合であるのは、照明が放出する光の多様な色が集合的により現実的な実際の炎の色を模倣できるためである。加えて、異なる色のライトの使用を用いると炎要素の照度が変更され得て、外部信号、たとえばリモートコンピュータの外部信号に応じて、またはたとえば使用者、流体、音楽もしくは他の音声もしくはそのいずれかの組合せの検出を含む、１つ以上のトリガ事象の発生に応じて、光源がランダムに定期的に変化するように指向され得る。
【００１５】
本発明の主題の多様な目的、特徴、態様および利点は、同様の番号が同様の構成要素を表す添付図面と共に、好ましい実施形態の以下の詳細な説明からより明らかとなる。
【図面の簡単な説明】
【００１６】
【図１Ａ】電灯の一実施形態の斜視図であり、第１の光源が消灯している。
【図１Ｂ】電灯の一実施形態の斜視図であり、第１の光源が点灯している。
【図１Ｃ】電灯の一実施形態の斜視図であり、第２の光源が点灯している。
【図１Ｄ】電灯の一実施形態の斜視図であり、第２の光源が点灯している。
【図２Ａ】電灯の別の実施形態の側面図である。
【図２Ｂ】電灯の別の実施形態の分解組立図である。
【図３Ａ】電灯の別の実施形態の分解組立図である。
【図３Ｂ】電灯の別の実施形態の側面図である。
【図４】電灯の追加の実施形態の側面図である。
【図５】電灯の追加の実施形態の側面図である。
【図６Ａ】外部リング上に配置された第２の光源を有する、電灯のまた別の実施形態の側面図である。
【図６Ｂ】外部リング上に配置された第２の光源を有する、電灯のまた別の実施形態の側面図である。
【図７Ａ】ファンおよび芳香モジュールを有する、電灯の別の実施形態の側面図である。
【図７Ｂ】ファンおよび芳香モジュールを有する、電灯の別の実施形態の側面図である。
【図８Ａ】電灯の別の実施形態の縦断面図である。
【図８Ｂ】電灯の別の実施形態の分解組立図である。
【図９Ａ】電灯の別の実施形態の縦断面図である。
【図９Ｂ】電灯の別の実施形態の、図９Ａの一部の拡大図である。
【図９Ｃ】電灯の別の実施形態の分解組立図である。
【発明を実施するための形態】
【００１７】
本発明の主題は、サーバー、インタフェース、システム、データベース、エージェント、ピア、エンジン、コントローラまたは個別にもしくは集合的に動作する他の種類のコンピューティング装置を含む、多様なコンピューティング装置を用いてよいことに留意されたい。コンピューティング装置が具体的な非一過性コンピュータ読取可能記憶媒体（たとえばハードドライブ、ソリッド・ステート・ドライブ、ＲＡＭ、フラッシュ、ＲＯＭなど）に記憶されたソフトウェア命令を実行するように構成されたプロセッサを含むことを認識すべきである。ソフトウェア命令は、好ましくは開示される器具に関して以下で論じるような役割、責務または他の機能を提供するようにコンピューティング装置を構成する。とりわけ好ましい実施形態において、多様なサーバー、システム、データベースまたはインタフェースは、おそらくＨＴＴＰ、ＨＴＴＰＳ、ＡＥＳ、公開秘密鍵交換、ウェブサービスＡＰＩ、公知の金融取引プロトコルまたは他の電子情報交換方法に基づく標準化プロトコルまたはアルゴリズムを使用してデータを交換する。データ交換は、好ましくはパケット交換ネットワーク、インターネット、ＬＡＮ、ＷＡＮ、ＶＰＮまたは他の種類のパケット交換ネットワークを介して行われる。
【００１８】
以下の議論は、本発明の主題の多くの実施形態例を提供する。各実施形態は発明要素の単一の組合せを示すが、本発明の主題は、開示した要素の考えられるすべての組合せを含むと見なされる。ゆえに一実施形態が要素Ａ、ＢおよびＣを含み、第２の実施形態が要素ＢおよびＤを含む場合、ここで本発明の主題は、明示的に開示されていなくても、Ａ、Ｂ、ＣまたはＤの他の残りの組合せも含むと見なされる。
【００１９】
図１Ａ−１Ｄにおいて、照明用ソケット（図示せず）中に収容されて、照明用ソケットに電気的に連結されるように構成された基部１０４を一端に有する、丈高く、細い長尺状ハウジング１０２を有する、電灯１００の実施形態を示す。基部１０４がエジソン型ねじソケットと嵌め合せできるように、基部の外面にらせん状ねじ１０６を有する基部１０４が示されているが、基部１０４がたとえばバイピンレシーバー、バヨネットマウントおよびウェッジベースを含む他の商業的に好適な任意の照明用ソケットとも嵌め合いされ得ることが考えられる。
【００２０】
対向する端部において、電灯１００は炎要素１１０を含んでいてもよく、図１Ｂに示すように、光源（図示せず）から光を放出して同炎要素の少なくとも一部を照らす。炎要素１１０は、ハウジング１０２に対して動くことができても、できなくてもよい。炎要素１１０が動くことができる実施形態において、たとえば電磁コイル、ファンまたは空気もしくはその他の流体を動かす他の装置およびモータを含む１つ以上の駆動機構を使用して炎要素１１０を動かし得ることが考えられる。揺れ動く炎効果を生じさせる別の様式は、Ｓｃｈｎｕｃｋｌｅらへの特許文献６、Ｓｃｈｎｕｃｋｌｅらへの特許文献７、Ｄｉｓｎｅｙ  Ｅｎｔｅｒｐｒｉｓｅｓ，Ｉｎｃ．への特許文献８（２００６年２月公開）、Ｓｃｈｎｕｃｋｌｅへの特許文献９、Ｓｃｈｎｕｃｋｌｅらへの特許文献１０、Ｐａｔｔｏｎらへの特許文献１１およびＰａｔｔｏｎらへの特許文献１２で論じられている。
【００２１】
光源は好ましくは、炎要素１１０の少なくとも一部に光を放出するように配置される。光源は、１個以上の、いくつかの実施形態においては２個以上のライト（ｌｉｇｈｔｓ）を含むことができ、同ライトはそれぞれ炎要素１１０の少なくとも一部に独立してまたは同時に光を放出する。
【００２２】
図１Ｃ−１Ｄに示す好ましい実施形態において、電灯１００は、特徴的であり光源から独立して操作可能であるとともに電灯１００から追加の光を生じるように選択される第２の光源１２０を含むこともできる。ゆえに、たとえば光源を使用して揺れ動く炎効果を生じ得て、所望ならば同時に第２の光源１２０を使用して追加の光を生じ得る。第２の光源１２０が減光可能であることがとりわけ好ましい。たとえば第２の光源１２０は、壁加減抵抗器によって制御されて、第２の光源１２０から放出される光の量を変更し得る。たとえば、第２の光源１２０の１個以上のライトを個別にまたはセットで連続的に減光または消灯することによって、第２の光源がゆっくりと暗くなって自然な照明効果を提供するように構成され得ることが考えられる。
【００２３】
第２の光源１２０が１個のライトまたは１セットのライトを含み得ることが考えられる。第２の光源１２０は、ハウジング１０２内に配置されて示されるが、ハウジング１０２の外部に配置され得ることが考えられる。
【００２４】
ハウジング１０２は好ましくはすりガラスを含むが、金属または金属複合材、プラスチックおよび他のポリカーボネート、ワックスなどを含む、いずれの商業的に好適な材料も使用され得る。第２の光源１２０がハウジング１０２内に配置される場合、ハウジング１０２の少なくとも一部が半透明であり、第２の光源１２０からの光はハウジング１０２から放出されることが好ましい。
【００２５】
図２Ａ−２Ｂは、揺れ動く炎効果をシミュレートするように構成された電灯２００の別の実施形態を示す。電灯２００は、基部２０４に連結されたハウジング２０２を含み、基部２０４は、基部２０４を標準照明用ソケットに挿入できるように基部２０４の外面上にらせん状ねじ２０６を有する。代替的に、基部２０４は、たとえば上で論じたものを含む、他の種類の照明用ソケットと連結するように構成され得る。
【００２６】
電灯２００は好ましくは、ハウジング２０２から少なくとも部分的に延びる炎要素２１０を含む。炎要素は、図２Ａ−２Ｂでは左に対面するように示された面を有する。１個以上の光源からの光は、炎要素２１０の少なくとも一部へ、好ましくは炎要素２１０の面の少なくとも一部へ放出することができる。
【００２７】
基部２０４が照明用ソケットに挿入される（電気的に接続される）間にハウジング２０２が基部２０４に対して回転できるように、ハウジング２０２が基部２０４と回転可能に連結されることがとりわけ好ましい。このようにして、ハウジング２０２は基部２０４を回転させる必要なしに回転することができ、これにより炎要素の面の方向も再度方向付けされ得る。これが好都合なのは、炎要素２１０の面が正しく方向付けられて最適な揺れ動く炎効果を提供するためである。図２Ａに示す実施形態において、炎要素の面は、見る人に、または見る人が電灯およびその揺れ動く炎効果を最も見ると思われる場所に対向することが望ましい。
【００２８】
好都合には、ハウジング２０２は、電灯２００の炎要素２１０が所望の方向に方向付けられるように、基部２０４に対しておよそ３５０度、一部の実施形態では３６０度回転させることができる。電灯２００は、基部２０４に対するハウジング２０２の回転を制限するために使用できる止め具をさらに含むことができ、止め具に達したときにハウジング２０２の回転によって、電灯２００を照明用ソケットに挿入または照明ソケットから取り外しできるようになる。いくつかの考えられる実施形態において、止め具は、基部に対してハウジング２０２の回転度をおよそ２７０度に制限することができる。
【００２９】
ハウジング２０２は、図２Ｂに示すように、基部２０４の少なくとも一部２０９を収容するように構成された空洞２０８または他の中空区域を含むことができる。好ましくは、基部２０４は、ハウジング２０２内に配置されたコネクタと電気的に連結して照明用ソケットからの電力により電灯２００に電力供給する、電気コネクタ２１１を含む。代替的に又は付随的に、ハウジング２０２の一部が基部２０４内に挿入されて、基部２０４がハウジング２０２に連結され得る。いくつかの実施形態において、ハウジング２０２が電気コネクタ２１１内へ回転して、および／またはスナップ止めされて、ハウジング２０２が基部２０４と電気的に連結できることが考えられる。
【００３０】
他の考えられる実施形態において、電灯２００は、導電性でもあると同時に、好ましくは少なくとも部分的に圧縮可能である電気的連結部を含むことができる。ゆえにたとえば、基部２０４の底部は、電灯２００を照明用ソケットに電気的に連結するために電灯２００を完全に照明用ソケット内にねじ込む必要がないように、少なくとも部分的に圧縮可能な材料で構成され得る。むしろ、電灯２００は照明用ソケット内で回転するので、基部２０４の圧縮可能な材料は、基部２０４を通じて電気を伝導して電灯２００に電力供給する間に圧縮され得る。このようにして、炎要素２１０が室内でのその配置に対して正しく方向付けられるように、電灯２００を所望するように回転させることができる。
【００３１】
基部２０４およびハウジング２０２は、スナップ嵌め、プレス嵌め、ねじ込み構成、磁石もしくは他の商業的に好適な（複数の）締結具またはその組合せによって連結され得ることが考えられる。
【００３２】
図３Ａ−３Ｂは、図２Ａ−２Ｂに示す電灯よりも大きい高さを有する電灯３００の別の実施形態を示す。図３Ａ−３Ｂにおけるそれぞれの残りの番号に関して、図２Ｂの同様の番号を有する同様の構成要素には同様の考慮事項が適用される。
【００３３】
図４には、ハウジング４０２の上部から延びる炎要素４１０を有する電灯４００の別の実施形態が示されている。好ましくは、炎要素４１０はハウジング４０２に枢動可能に連結され、これにより炎要素はハウジング４０２に対して動くことができる。炎要素４１０は、ハウジング４０２の上部の開口部を通じて延出可能であることが考えられる。
【００３４】
電灯４００は、ＰＣＢ基板４２４上の信号発生器に連結されて、電気がコイルを通過する際に経時的に変化可能な電磁場を発生させる、電線コイル４２２を含むことができる。炎要素４１０は磁石４２６を含むことができ、磁石４２６は電磁場と相互作用して、ハウジング４０２に対する炎要素４１０の動力学的運動（動き）を引き起こす。代替的に又は付随的に、炎要素４１０は、電磁場と相互作用することができる鉄製タグまたは磁気材料を含み得る。
【００３５】
他の考えられる実施形態において、電灯４００は、ハウジング４０２に対して炎要素４１０を動かすのに十分な、たとえばファンおよびモータを含む代わりの駆動機構を含み得る。図４におけるそれぞれの残りの番号に関して、図２Ｂの同様の番号を有する同様の構成要素には同様の考慮事項が適用される。
【００３６】
図５は、図４に示すものと同様の電灯５００の別の実施形態を示すが、ただし電灯５００は、好ましくは複数のＬＥＤまたは他のライトを含む、ハウジング５０２内に配置された第２の光源５３０を含む。いくつかの考えられる実施形態において、第２の光源５３０は８個のＬＥＤを含むが、ＬＥＤまたは他の光源の具体的な数は、キャンドルの寸法、具体的な用途、キャンドル本体の透明度および所望の光量に応じて変更することができる。第２の光源が第１の光源の輝度より大きい輝度を集合的に有するライトのセットを含むことが、とりわけ好ましい。
【００３７】
ライトをハウジング５０２の一部内にまとめて示しているが、第２の光源５３０を構成するライトは隔設されて、ハウジング５０２の長さに沿って配置され得ることが考えられる。光路を干渉、中断もしくは変更する散光器もしくは他の装置を第２の光源のライトのいくつかもしくはすべての付近に配置して、またはハウジング５０２の少なくとも一部内に配置して、第２の光源５３０が生成する照明効果を変更可能であることもさらに考えられる。
【００３８】
他の考えられる実施形態において、第２の光源５３０は、ハウジング５０２の上部に、好ましくは電線コイル５２２または駆動機構の上に、第２の光源５３０が電灯５００の上部からの追加の光を供給できるように配置され得る。
【００３９】
電灯５００は、ＰＣＢ基板５２４上の信号発生器に連結されて、電気がコイルを通過する際に経時的に変化可能な電磁場を発生させる、電線コイル５２２を含むことができる。炎要素５１０は磁石５２６または他の磁気材料を含むことができ、磁石５２６または他の磁気材料は電磁場と相互作用して、ハウジング５０２に対する炎要素５１０の動力学的運動（動き）を引き起こす。図５におけるそれぞれの残りの番号に関して、図２Ｂの同様の番号を有する同様の構成要素には同様の考慮事項が適用される。
【００４０】
図６Ａ−６Ｂは、ハウジング６０２の少なくとも一部の付近に外部リング６４０を有して、伝統的なろうキャンドルでよく使用されるろう受けまたはドリッププロテクタ（ｄｒｉｐ  ｐｒｏｔｅｃｔｏｒ）の外観を提供する、電灯６００のまた別の実施形態を示す。いくつかの考えられる実施形態において、外部リング６４０は、図６Ｂに示すように、複数のＬＥＤまたは他のライトを含む第２の光源６３０を含むことができる。使用者が第２の光源６３０によって提供される光量を変更できるように、第２の光源６３０が減光可能であることがとりわけ好ましい。図６Ａ−６Ｂにおけるそれぞれの残りの番号に関して、図２Ｂの同様の番号を有する同様の構成要素には同様の考慮事項が適用される。
【００４１】
図７Ａ−７Ｂは、ハウジング７０２の上部から延びる炎要素７１０を有する電灯７００のなお別の実施形態を示す。好ましくは、炎要素７１０はハウジング７０２に枢動可能に連結され、これにより炎要素７１０はハウジング７０２に対して動くことができる。いくつかの考えられる実施形態において、炎要素７１０は開口部７１２を有することができ、開口部７１２を通じて支持ワイヤ７１１が延びていてもよい。好ましくは、開口部７１２の直径は、ハウジング７０２および支持ワイヤ７１１に対して炎要素７１０を無秩序かつランダムにさらに動かすために、支持ワイヤ７１１の直径より大きい。直線状のワイヤとして示しているが、支持ワイヤは代替的に、Ｖ字形状を有し得る。
【００４２】
電灯７００は、ハウジング７０２内に配置されたファン７２２をさらに含むことができ、ファン７２２は、ファン７２２の回転によって、ファン７２２の上にまたはファン７２２を出る空気の下流に配置された炎要素７１０の動きが生じるように構成されている。回路７２４またはコントローラを使用してファン７２２への電圧を経時的に変化させて、炎要素７１０の無秩序な動きを生じさせ、炎要素７１０を使用した揺れ動く炎効果を生じさせ得ることが、さらに考えられる。このような変更は、経時的にファン速度を変化させることおよび／または経時的にファンを作動・停止させることを含んでいてもよい。
【００４３】
ファン７２２が生じる気流により芳香モジュール７５０から芳香の放出が促進されるように、１個以上の芳香モジュール７５０がハウジング７０２内に配置され得ることも考えられる。好ましくは、芳香モジュールは、たとえばハウジング７０２を基部７０４から取り外すことによって、使用者が交換できる。電灯が電磁場を利用して揺れ動く炎効果を生じさせる場合、芳香モジュールを電線コイルの近くに配置して、芳香モジュールを温め、芳香を雰囲気中に放出させ得る。
【００４４】
場合により、ファン７２２は、底部またはそのブレードのうち１枚におもりを包含して、ブレードの回転効果を変化させることができる。図７Ａ−７Ｂにおけるそれぞれの残りの番号に関して、図２Ｂの同様の番号を有する同様の構成要素には同様の考慮事項が適用される。
【００４５】
図８Ａ−８Ｂは、ハウジング８０２の上部から開口部を通じて延びる炎要素８１０を有する電灯８００のなお別の実施形態を示す。炎要素８１０は、好ましくは支持ワイヤ８１１に取り付けられ、支持ワイヤ８１１は炎要素８１０の開口部を通じて延出する。電線コイル８２２は、炎要素８１０の端部に近接して配置することができ、これにより電磁場が発生して、磁石による炎要素８１０の動きが引き起こされる。
【００４６】
図８Ｂに示すように、炎要素８１０は好ましくは凹所を有し、したがって非対称である。このために、揺れ動く炎効果は、見る人に対する炎要素８１０の面の向きに応じて変わる。好都合には、ハウジング８０２は、基部８０４が照明用ソケットに連結されている間にハウジングが回転できるように、基部８０４に回転可能に連結することができる。このようにして、電灯８００が照明用ソケットに正しく挿入された後に炎要素８１０の向きを変えることができ、ゆえに見る人に対して炎効果が最大限となるように炎要素を方向付けることができる。図８Ａ−８Ｂにおけるそれぞれの残りの番号に関して、図２Ｂの同様の番号を有する同様の構成要素には同様の考慮事項が適用される。
【００４７】
図９Ａ−９Ｃには、ハウジング９０２が基部９０４に対して回転できるように、ハウジング９０２が基部９０４に連結された電灯９００の別の実施形態が示されている。基部９０４は、くぼみ９６０を含むことができ、くぼみ９６０にハウジング９０２の突起９６２が挿入されると、ハウジング９０２が基部９０４に固定され、ハウジング９０２がなお所望通りに回転されて炎要素を正しい位置に方向付ける。
【００４８】
代替的に又は付随的に、ハウジングは、基部９０４に回転可能に連結されて、基部９０４に対して第１の方向にハウジングを回転させることによって基部９０４に固定され得る。このような実施形態において、基部９０４は、ハウジング９０２の一部が止め具に接触したときに、ハウジング９０２が第１の方向にさらに回転することによってハウジングが、したがって炎要素が回転されるように１個以上の止め具を含み得る。止め具は、ハウジング９０２の完全な回転を例えば３６０度未満となるように制限することもできる。止め具が回転を３００度に制限し得ることが考えられる。
【００４９】
このような実施形態において、ハウジング９０２を基部９０４から取り外すために、ハウジング９０２の一部が止め具に接触するまで、ハウジングは第１の方向と反対の第２の方向に回転され得ることが考えられる。止め具との接触時に、基部９０４に対してハウジング９０２をさらに回転することによって、たとえばハウジングが基部９０４から離れ始めることが考えられる。図９Ａ−９Ｃにおけるそれぞれの残りの番号に関して、図２Ｂの同様の番号を有する同様の構成要素には同様の考慮事項が適用される。
【００５０】
本明細書の説明においておよび続いての特許請求の範囲を通じて使用する場合、「ａ」、「ａｎ」および「ｔｈｅ」の意味は、文脈が別途明確に指示しない限り、複数の指示対象を含む。また、本明細書の説明において使用する場合、「ｉｎ」の意味は、文脈が別途明確に指示しない限り、「ｉｎ」および「ｏｎ」を含む。
【００５１】
本明細書での値の範囲の引用は、範囲内に含まれる別個の値それぞれに個別に言及する省略法としての役割を果たすことを企図しているに過ぎない。本明細書で別途指摘しない限り、個別の値それぞれは、本明細書で個別に引用されているかのように、本明細書に援用されている。本明細書に記載するすべての方法は、別途指摘しない限りまたは文脈により明らかに矛盾しない限り、いずれの適切な順序でも実施できる。本明細書中である実施形態に関して提供するあらゆる実施例または例示的文言（たとえば「ｓｕｃｈ  ａｓ（など）」）の使用は、単に本発明をより良く解明するように意図されているにすぎず、別途請求されない限り、本発明の範囲に限定を与えるものではない。明細書中のいずれの文言も、請求されていないいずれの要素も本発明の実施にとって不可欠であると指摘しているとして解釈すべきではない。
【００５２】
本明細書で開示する本発明の代替的要素または実施形態のグループ分けは制限として解釈すべきではない。各グループのメンバは、個別にまたは群の他のメンバもしくは本明細書で見出される他の要素とのいずれの組合せにおいても、言及および請求することができる。グループの１つ以上のメンバは、便宜上および／または特許性の理由で、グループに包含またはグループから削除することができる。このようないずれの包含または削除も行われる場合、本明細書はここでグループを修正されたものとして含有し、ゆえに添付の特許請求の範囲で使用されるすべてのマーカッシュグループの記載要件を満たすと見なされる。
【００５３】
本明細書で使用する場合、文脈が別途指示しない限り、「に連結された」という用語は、直接連結（相互に連結された２個の要素が相互に接触している）および間接連結（少なくとも１個の追加の要素が２個の要素の間に位置する）の両方を含むことを企図する。したがって、「に連結された（ｃｏｕｐｌｅｄ  ｔｏ）」および「と連結される（ｃｏｕｐｌｅｄ  ｗｉｔｈ）」という用語は、同意語として使用される。
【００５４】
当業者には、本明細書の発明の概念から逸脱することなく、すでに記載したことに加えてより多くの修正を行えることが明らかであるべきである。したがって本発明の主題は、添付の特許請求の範囲を除いて、限定されるものではない。さらに、明細書および特許請求の範囲の両方を解釈する際に、すべての用語は、文脈と一致する、考えられる最も広い様式で解釈されるべきである。特に、「含む（ｃｏｍｐｒｉｓｅ）」および「含んでいる（ｃｏｍｐｒｉｓｉｎｇ）」という用語は、非排他的な様式で要素、構成要素またはステップに言及し、言及された要素、構成要素またはステップが存在してよい、または利用されてよい、または明示的に言及されない他の要素、構成要素またはステップと組み合わされてよいことを示すとして解釈すべきである。明細書の特許請求の範囲がＡ、Ｂ、Ｃ・・・およびＮから成る群より選択されるものの少なくとも１つに言及する場合、テキストが、ＡおよびＮまたはＢおよびＮではなく、群の１つの要素のみを要求するとして解釈すべきである。
【図１Ａ】
0005919443.tif 000002
【図１Ｂ】
0005919443.tif 000003
【図１Ｃ】
0005919443.tif 000004
【図１Ｄ】
0005919443.tif 000005
【図２Ａ】
0005919443.tif 000006
【図２Ｂ】
0005919443.tif 000007
【図３Ａ】
0005919443.tif 000008
【図３Ｂ】
0005919443.tif 000009
【図４】
0005919443.tif 000010
【図５】
0005919443.tif 000011
【図６Ａ】
0005919443.tif 000012
【図６Ｂ】
0005919443.tif 000013
【図７Ａ】
0005919443.tif 000014
【図７Ｂ】
0005919443.tif 000015
【図８Ａ】
0005919443.tif 000016
【図８Ｂ】
0005919443.tif 000017
【図９Ａ】
0005919443.tif 000018
【図９Ｂ】
0005919443.tif 000019
【図９Ｃ】
0005919443.tif 000020